(57)【要約】【課題】指針と表示板との間の光漏れを確実に低減することが可能な指針照明装置を提供するものである。【解決手段】回路基板２と、この回路基板２の背後に設けられる計器本体３と、この計器本体３から伸び回路基板２を貫通する駆動軸４と、この駆動軸４に固定される指針５と、この指針５と回路基板２との間に設けられる表示板６と、指針５に光を供給し回路基板２に設けられる光源７と、この光源７の光を指針５に導く導光体８とを備えた指針照明装置において、導光体８と計器本体３との位置を決める位置決め部３２，８４を設けたものである。【選択図】  図１
2004301643.tif 000002
【特許請求の範囲】
【請求項１】
回路基板と、この回路基板の背後に設けられる計器本体と、この計器本体から伸び前記回路基板を貫通する駆動軸と、この駆動軸に固定される指針と、この指針と前記回路基板との間に設けられる表示板と、前記指針に光を供給し前記回路基板に設けられる光源と、この光源の光を前記指針に導く導光体とを備えた指針照明装置において、前記導光体と前記計器本体との位置を決める位置決め部を設けたことを特徴とする指針照明装置。
【請求項２】
前記位置決め部を凹凸嵌合部としたことを特徴とする請求項１記載の指針照明装置。
【請求項３】
前記指針に、その回動中心に前記光源の光を受ける受光部を設け、この受光部を前記導光体に近接させたことを特徴とする請求項１または２記載の指針照明装置。
【請求項４】
前記指針に、その回動中心に前記光源の光を受ける受光部と、この受光部を囲む遮光壁部とを設け、前記遮光壁部を前記導光体に近接させたことを特徴とする請求項１または２記載の指針照明装置。
【請求項５】
遮光性のリング状の壁を前記指針の回動中心領域を覆うカバーの内側に位置するように前記表示板に設けたことを特徴とする請求項１または２記載の指針照明装置。
【発明の詳細な説明】
【０００１】
【発明の属する技術分野】
本発明は、例えば車両用計器に採用される指針照明装置に関し、特に指針と表示板との間からの光漏れを防止する指針照明装置に関するものである。
【０００２】
【従来の技術】
従来より表示板上で回動する指針を透光材から形成して光導入部を設けると共に表示板の背後に光源を配置し、この光源からの照明光を表示板の貫通孔を通じて指針の光導入部に供給し、指針自体を光輝させる指針照明装置がよく知られている。
【０００３】
この種の指針照明装置にあっては、指針の光導入部を含む回動中心領域の前方及びその周囲は通常、キャップ状の遮光性カバー（遮光性部材）にて覆われるので、この部分からの光洩れは抑えられるが、遮光性カバーと表示板との間から光洩れが発生することがある。
【０００４】
このため、照明光の光導入経路となる表示板の貫通孔の周囲に円環状の遮光リングを設け、この遮光リングを遮光性カバーとラップさせて光洩れを抑制する指針照明装置が提案されている（例えば、特許文献１参照）。
【０００５】
近年では、光源が白熱電球から発光ダイオードへと変わってきたことにより、光源の位置が指針の直下部分に移動し、この光源からの光を指針に導く導光体を備えた指針照明装置が提案されている（例えば、特許文献２参照）。
【０００６】
【特許文献１】
実公平６−２００９７号公報（第１図、第２図）
【特許文献２】
特開２００１−２１５１３８号公報（図１、図７及び図８）
【０００７】
【発明が解決しようとする課題】
しかしながら、特許文献２の指針照明装置では、指針に光を導く導光体が中ケースに固定されているため、指針軸との接触を防止するためには、公差を含めて、導光体と指針軸や、導光体と指針のカバーとの間隔をある程度大きく設定する必要があった。このため、指針への光量を少なくしないためにも導光体の外形を大きくする必要があり、この大きくなった導光体のために、特許文献１の指針照明装置のようなカバーと表示板との間に遮光リングを設けたとしても、カバーと表示板との間から光漏れが発生するという問題があった。
【０００８】
そこで、本発明は、この点に鑑みてなされたもので、その主な目的は、指針と表示板との間の光漏れを確実に低減することが可能な指針照明装置を提供するものである。
【０００９】
【課題を解決するための手段】
本発明は、前記目的を達成するため、回路基板と、この回路基板の背後に設けられる計器本体と、この計器本体から伸び前記回路基板を貫通する駆動軸と、この駆動軸に固定される指針と、この指針と前記回路基板との間に設けられる表示板と、前記指針に光を供給し前記回路基板に設けられる光源と、この光源の光を前記指針に導く導光体とを備えた指針照明装置において、前記導光体と前記計器本体との位置を決める位置決め部を設けたものである。
【００１０】
また、前記位置決め部を凹凸嵌合部としたものである。
【００１１】
また、前記指針に、その回動中心に前記光源の光を受ける受光部を設け、この受光部を前記導光体に近接させたものである。
【００１２】
また、前記指針に、その回動中心に前記光源の光を受ける受光部と、この受光部を囲む覆う遮光壁部とを設け、前記遮光壁部を前記導光体に近接させたものである。
【００１３】
また、遮光性のリング状の壁を前記指針の回動中心領域を覆うカバーの内側に位置するように前記表示板に設けたものである。
【００１４】
【発明の実施の形態】
本発明による指針照明装置は、回路基板２と、この回路基板２の背後に設けられる計器本体３と、この計器本体３から伸び回路基板２を貫通する駆動軸４と、この駆動軸４に固定される指針５と、この指針５と回路基板２との間に設けられる表示板６と、指針５に光を供給し回路基板２に設けられる光源７と、この光源７の光を指針５に導く導光体８とを備えた指針照明装置において、導光体８と計器本体３との位置を決める位置決め部３２，８４を設けたものである。このように構成したことにより、指針と表示板との間の光漏れを確実に低減することが可能な指針照明装置を提供することができる。
【００１５】
また、位置決め部３２，８４を凹凸嵌合部としたものである。このように構成したことにより、指針と表示板との間の光漏れを確実に低減することが可能な指針照明装置を提供することができる。
【００１６】
また、指針５に、その回動中心に光源７の光を受ける受光部５４ａを設け、この受光部５４ａを導光体８に近接させたものである。このように構成したことにより、指針と表示板との間の光漏れを確実に低減することが可能な指針照明装置を提供することができる。
【００１７】
また、指針５に、その回動中心に光源７の光を受ける受光部５４ａと、この受光部５４ａを囲む覆う遮光壁部５４ｃとを設け、遮光壁部５４ｃを導光体８に近接させたものである。このように構成したことにより、指針と表示板との間の光漏れを確実に低減することが可能な指針照明装置を提供することができる。
【００１８】
また、遮光性のリング状の壁９を指針５の回動中心領域を覆うカバー５３の内側に位置するように表示板６に設けたものである。このように構成したことにより、指針と表示板との間の光漏れを確実に低減することが可能な指針照明装置を提供することができる。
【００１９】
【実施例】
以下、本発明の第１実施例を図１を用いて説明する。図１は本発明による指針照明装置を計器装置に適用したものである。
【００２０】
図１において、計器装置１は、回路基板２と、回路基板２の背後に設けられる計器本体３と、計器本体３から伸び回路基板２を貫通する駆動軸４と、この駆動軸４に固定される指針５と、この指針５と回路基板２との間に設けられる表示板６と、指針５に光を供給し回路基板２に設けられる光源７と、この光源７の光を指針５に導く導光体８とを備えている。指針５と計器本体３から伸長する駆動軸４とを連結固定し、駆動軸４は回路基板２，表示板６を貫通している。計器本体３の駆動軸４の駆動に応じた指針５の軸回り回動により、表示板６に形成された文字，数字，目盛等の図示しない表示意匠部を指示すると共に、光源７の点灯により、指針５を照明するようになっている。９は指針５と表示板６との間に配置されるリング状の壁であり、また、１０は白色の合成樹脂から成る円筒形のケースであり、光源７の光の拡散を防止する仕切り部材を兼ねている。
【００２１】
回路基板２は、ガラスエポキシ樹脂などからなる硬質の回路基板であり、駆動軸４が貫通する孔２１を備えている。また、回路基板２には、後述する計器本体３の脚部３１が挿入される貫通孔２２が形成されている。
【００２２】
計器本体３は、交差コイル式計器本体あるいはステッピングモータであり、本実施例では、４つの脚部３１を備えている。この脚部３１は合成樹脂製であり、その中の２つの脚部３１に位置決め部となる凹部３２を備えている。また、この凹部３２を設けた部分は、脚部３１の上面から一段突出した突出部３３を備えている。この突出部３３が、回路基板２の貫通孔２２に挿入されて、計器本体３と回路基板２との位置が決められる。そして、残った２本の脚部３１によって、計器本体３が回路基板２に固定されている。
【００２３】
指針５は、ポリカーボネートやアクリル等の合成樹脂からなる透光性の指針本体５１と、この指針本体５１の回動中心領域５２の前方及びその周囲を覆って背後が開口する、黒色系の遮光性合成樹脂からなるキャップ形のカバー５３と、指針本体５１の回動中心領域５２の背後（図１中、指針本体５１の下側）に固定される指針座５４とからなる。なお、指針座５４は、透明な合成樹脂からなる受光部５４ａと、この受光部５４ａの周囲に一体に設けられる黒色系の遮光性合成樹脂からなる鍔状の遮光部５４ｂとから構成されている。指針５は、指針座５４の受光部５４ａにて駆動軸４と連結されている。なお、カバー５３と指針座５４で覆われる空間内での光を損失を抑えるために、カバー５３と指針座５４の内面を白色に塗装してある。あるいは、内面を白色の合成樹脂とし外面を黒色の合成樹脂で形成してもよい。
【００２４】
指針５は、その回動中心領域５２に、光源７の照明光を受光部５４ａから指針本体５１内部に採り入れると、この採り入れた照明光を先端側に反射する指針反射部５５とを備えている。
【００２５】
表示板６は、透明な合成樹脂パネルからなる基材の表面に、所定色からなり目盛，文字，マーク等を形成する透光性の着色印刷層とこの着色印刷層の周囲を囲むように目盛，文字，マーク等の背景となる地色印刷層とを備え（図示しない）、前記地色印刷層は、本実施例では白色系の着色インクを用いて形成されている。また表示板６は駆動軸４及び指針本体５１の受光部５４ｂに対応する領域に貫通孔６１を備えている。この貫通孔６１に、壁９を装着することにより、壁９がケース１０に固定されて、表示板６をケース１０に位置決めすることができる。
【００２６】
光源７は、表面実装可能なチップ形の発光ダイオードであり、指針５の回動中心領域５２の背後に所定距離を有して駆動軸４の周囲に複数設けられている。
【００２７】
導光体８は、透明な合成樹脂からなる筒状体であり、指針５の回動中心領域５２の背後に駆動軸４の周囲を囲むように設けられている。この導光体８は、受光部８１と射出部８２とを備えており、光源７の光を受光部８１で受け、射出部部８２から指針５の受光部５４ａに光を射出するものであり、指針５の受光部５４ａが導光体８の射出部８２に近接するように設けてある。
【００２８】
また、導光体８の外周面からは２つの脚部８３が設けられている。この脚部８３は折れ曲がっており、ケース１０の外に伸びている。そして、この脚部８３の端部には、凸部８４を備えており、この凸部８４は計器本体３の凹部３２に挿入されるものである。この凸部８４と計器本体３の凹部３２とで、導光体８と計器本体３との位置を決める位置決め部を構成している。
【００２９】
なお、本実施例においては、計器本体３に凹部３２を設け、導光体８に凸部８４を設けた凹凸嵌合を行うものであり、凹凸嵌合を行うものは前記実施例に限定されるものではなく、計器本体３と導光体８とを直接位置決めする構造であればよく、例えば、計器本体３に凸部を設け、導光体８に凹部を設けたものであっても良い。
【００３０】
壁９は、遮光性を有する黒色の合成樹脂材料からなり、表示板６の貫通孔６１を取り巻いてその周縁を覆い且つその先端がカバー５３に向けて延びる円環状であり、この壁９の外周及び内周部より貫通孔６１の周囲に突出して表示板６の表面に当接する鍔部９１をそなえている。そして、内周部の鍔部９１は導光体８の外周部に軽く接触する程度である。
【００３１】
そして、壁９の固定によって、壁９は、その先端部がカバー５３側へ延びるように配置され、また、この壁９は、指針座５４の遮光部５４ａと所定間隔を空けて駆動軸４の放射方向に対し、略迷路状とし、指針５と表示板６との間からの光漏れを抑制することができる。
【００３２】
ケース１０には、導光体８の脚部８３がケース１０の内側から外側に伸びる逃げ部１０ａが形成されている。
【００３３】
このように、計器本体３と導光体８とを直接、その位置を決めたことによって、計器本体３から伸びる駆動軸４と導光体８との間隔を狭めることができ、よって、導光体８の外形を小型にすることができるので、指針５と表示板６との間からの光漏れを抑制することができる。
【００３４】
指針５の受光部５４ａが導光体８の射出部８２に近接するように設けてあることにより、導光体８から光の漏れを抑制することができる。
【００３５】
次に、本発明の第２実施例を図２を用いて説明する。なお、第１実施例と同一及び相当箇所には、同一符号を付してその詳細な説明は省略する。
【００３６】
本実施例では、ケース１０の外側の回路基板２上に、表示板６の目盛，文字，マークなどを照明するための光源１１と、この光源１１の光を前記目盛などに導くための導光部８５とを備えている。光源１１は、光源７と同様に、表面実装可能なチップ形の発光ダイオードであり、ケース１０の周囲に複数設けられている。なお、この導光部８５は、導光体８に一体に形成されている。
【００３７】
このように、本実施例では、導光体８に表示板６照明用の導光部８５を一体に形成することによって、表示板６の目盛，文字，マークなどを照明する計器装置に採用することができるとともに、部品点数を削減し、コストを削減することが可能な指針照明装置を提供することができる。
【００３８】
次に、本発明の第３実施例を図３を用いて説明する。なお、前記各実施例と同一及び相当箇所には、同一符号を付してその詳細な説明は省略する。
【００３９】
前記実施例では、指針５の受光部５４ａが導光体８の射出部８２に近接するように設けてあったが、本実施例では、指針５の受光部５４ａが導光体８の射出部８２に近接していないが、指針座５４の鍔状の遮光部５４ｂに、受光部５４ａを囲むように、遮光壁部５４ｃが設けられている。この遮光壁部５４ｃは、導光体８の射出部８２に近接するように設けられている。このように構成することによっても、導光体８から光の漏れを抑制することができる。
【００４０】
なお、この遮光壁部５４ｃで囲まれた受光部５４ａは、本実施例では、導光体８の射出部８２から距離をおいた位置に形成されているが、前記各実施例のように、導光体８の射出部８２に近接するように設けても良い。
【００４１】
【発明の効果】
以上、本発明により、初期の目的を達成することができ、指針と表示板との間の光漏れを確実に低減することが可能な指針照明装置を提供することができる。
【図面の簡単な説明】
【図１】本発明の第１実施例の断面図である。
【図２】本発明の第２実施例の断面図である。
【図３】本発明の第３実施例の断面図である。
【符号の説明】
１    計器装置
２    回路基板
３    計器本体
４    駆動軸
５    指針
６    表示板
７    光源
８    導光体
９    壁
１０    ケース
１０ａ  逃げ部
３２    凹部（位置決め部）
５３    カバー
５４ａ  受光部
５４ｃ  遮光壁部
８４    凸部（位置決め部）
【図１】
2004301643.tif 000003
【図２】
2004301643.tif 000004
【図３】
2004301643.tif 000005